(57)【要約】  津波、津波火災、及び土石流災害等に対して、耐水性能、耐火性能、耐土圧性能を確保した、操作が簡単な防災用扉構造を提供すること。  ２重構造扉となっている外扉４と内扉５が、扉枠３に回動可能に固定され、外扉４、及び内扉５の裏面の外周部に沿って耐火パッキンが環状に設けられており、その内側に耐水パッキンが並設されている。水密パッキンの内部領域全面に断熱材が張り付けられている。水密パッキン、及び耐火パッキンは保持部材に収容されている。また、外扉４と扉枠３を固着するための第１ロック装置、又は第２ロック装置が備えられている。外扉４、内扉５、及び扉枠は鋼製であることが好ましい。
2018043740.tif 000002
【特許請求の範囲】
【請求項１】
表面と、裏面とを有する扉と、
開口部を形成するとともに、前記扉を閉止する扉枠と、
前記扉枠、又は前記裏面の外周部に沿って環状に設けられた耐火パッキンと、
前記耐火パッキンの内側に並設される水密パッキンと、
前記耐火パッキン及び前記水密パッキンを収容する保持部材と、
を備えることを特徴とする防災用扉構造。
【請求項２】
前記耐火パッキンは、熱が伝わると膨張する材料であることを特徴とする請求項１に記載の防災用扉構造。
【請求項３】
前記耐火パッキンは、少なくとも１個設けられ、前記水密パッキンは、複数個設けられていることを特徴とする請求項１又は２に記載の防災用扉構造。
【請求項４】
前記扉と前記扉枠を固着する第１ロック装置をさらに備え、
前記第１ロック装置は、前記扉の裏面に固定された第１ボルトに螺合された第１ナットと、
前記第１ボルトに挿通されるとともに、前記扉と前記第１ナットに挟持されるスプリング材、及び正面視略矩形のワッシャーと、
前記扉枠の開口部側に設けられ、貫通孔が穿孔された第１突出部と、
を有し、
前記ワッシャーは、前記扉を前記扉枠に閉止したとき、前記貫通孔に前記第1ボルトと前記スプリング材が貫通した状態で回動可能であることを特徴とする請求項１から３のいずれか１項に記載の防災用扉構造。
【請求項５】
前記扉と前記扉枠を固着する第２ロック装置をさらに備え、
前記第２ロック装置は、前記扉枠の開口部側に設けられた第２突出部に、回動可能に固定されたスイングバーと、
前記スイングバーに形成された雌ネジに螺合する第２ボルトと、
前記扉に固定された第２ナットと、を有し、
前記第２ボルトは、前記扉を前記扉枠に閉止したとき、前記第２ナットに螺合可能であることを特徴とする請求項１から３のいずれか１項に記載の防災用扉構造。
【請求項６】
前記扉枠を隔てて前記扉に対向して設けられる内扉をさらに備えることを特徴とする請求項１から５のいずれか１項に記載の防災用扉構造。
【請求項７】
前記扉と前記内扉の裏面は、耐火性能を具備する断熱部材が貼付けられていることを特徴とする請求項６に記載の防災用扉構造。
【発明の詳細な説明】
【技術分野】
【０００１】
本発明は、津波、津波火災、及び土石流災害にも対応できる防災用扉構造に関する。
【背景技術】
【０００２】
近々に発生が予測される「南海トラフ大地震」に備え、地震対策及び津波対策として避難用のシェルターに使用する防災用扉構造の開発が課題とされる。２０１３年の内閣府発表では、南海トラフ巨大地震での津波による死亡予想者数は、２００３年の中央防災会議の想定と比べて１３倍と大幅に増加している。このうち津波による死者は全体の７割を占めている。また、毎年のように発生する集中豪雨による土石流災害では、建物に比べて強度の弱い窓やドアから、土砂が流入し、尊い人命が失われる等の被害が報告されており、幅広い災害に対して対応可能な防災用扉構造の開発が求められる。【０００３】
防災用扉構造に関する発明が、特許文献１〜３等に示すように種々開示されている。【０００４】
特許文献１では、震災時に建造物が異常な圧縮力により変形したり亀裂が発生したりして、建造物の間口に取り付けられてドアを保持する枠体が変形して扉等が開閉できなくなったり、また、火災時の過熱に起因して枠体が曲がり、扉等が開閉できなくなる事態を極力抑え、安全性を確保するため、複数本の補強材を用いてトラス構造とした間口用防災枠体が開示されている。【０００５】
特許文献２では、シンプルな構造で製造コスト及び設置費用が安く、扉の防音性、防煙性及び防水性等を向上することができる新規な扉圧接具及びこの扉圧接具を備えた扉が開示されている。具体的には、係止突起又は案内路の各々いずれかが設けられた係止レバー及び係合部からなり、扉における戸板及び戸枠に対し、前記係止レバー及び前記係合部の各々いずれかを設け、前記係止レバーを回動させるとともに、前記係止突起を前記案内路に沿って嵌合点に導くことにより、戸板を戸枠に向かって圧接する扉圧接具である。【０００６】
特許文献３では、防火性能などの防災性能や防音性能を発揮するために構造物の開口部を閉鎖可能な防災扉、及び防災扉を閉鎖するための防災扉閉鎖装置において、利用者がハンドルレバーなどを操作しなくても防災扉を高気密で閉鎖できる構成が開示されている。具体的には、扉本体が閉鎖方向へ回動する際には、ロッドが、トリガー装置によって保持状態が解除されるとともに、グレモン錠によって上方への移動を許容される。すると、ロッドの先端部が圧縮コイルバネの付勢力によって受け具の内部へテーパ面及び当接面に案内されながら挿入される。この際、蝶番を中心にして回動させた扉本体がシール材を圧接しながら開口部を閉鎖し、防災扉に求められる防火性能などの防災性能や防音性能が実現する構成となっている。
【先行技術文献】
【特許文献】
【０００７】
【特許文献１】特開２０１３−１６３９６２号公報
【特許文献２】特開２００９−１１４６５０号公報
【特許文献３】特開２００８−３０３６８９号公報
【発明の概要】
【発明が解決しようとする課題】
【０００８】
しかしながら、特許文献１〜３で開示された従来技術には、次のような不都合が指摘される。【０００９】
（１）扉枠の強度を高めるための構造は開示されているが、扉を含めた扉構造全体の強度については開示されていない。【００１０】
（２）扉を高気密で閉鎖するための構造が複雑で、設置のためのコストが大きい。また、工場で大量生産した規格品の取り付けが前提となるため、既存構造物への取り付けが困難な場合もある。【００１１】
（３）扉を閉鎖して固定するための構造が複雑で、設置のためのコストが大きく、既存構造物への取り付けが困難な場合もある。【００１２】
（４）上記のとおり構造が複雑で、施工に高度の技術を要するため、コストが高く、工期も長くなり、一般家庭にまでは普及していない。【００１３】
災害時に必要な安全性を確保するために、津波波力等に対する耐水性能、津波火災等に対する耐火性能、及び土石流災害対する耐土圧性能をすべて具備することが、防災用扉構造に求められる。防災意識の高まりに伴い、個人の家でも防災用扉構造への必要性は高まってきている。近年多発する災害の実情に鑑みると、高齢者、幼児、身体不自由者のいる家庭においてそのニーズは高い。【００１４】
本発明の課題は、津波、津波火災、及び土石流災害等に対して、耐水性能、耐火性能、耐土圧性能を確保した、操作が簡単な防災用扉構造を提供することである。
【課題を解決するための手段】
【００１５】
上記課題を解決するために、請求項１に係る発明は、防災用扉構造（以後、本扉構造とよぶ）であって、表面と、裏面を有する扉と、開口部を形成するとともに、扉を閉止する扉枠と、扉枠、又は扉の裏面の外周部に沿って環状に設けられた耐火パッキンと、耐火パッキンの内側に並設される水密パッキンと、耐火パッキン及び水密パッキンを収容する保持部材を備えることを特徴とする。【００１６】
この構成によれば本扉構造は、扉枠、又は扉の裏面の外周部に沿って環状に設けられた水密パッキンの外側に耐火パッキンが並設されているので、津波火災に起因する火炎熱から、水密パッキンを保護することができる。また、津波によりシェルターが浸水した場合でも水密パッキンにより、扉からの海水の侵入を防止することができる。また、耐火パッキン及び水密パッキンは保持部材に収容されているので、長期間に渡り耐火性能、水密性能を維持することができる。【００１７】
請求項２に係る発明は、請求項１に記載の本扉構造において、耐火パッキンは、熱が伝わると膨張する材料であることを特徴とする。【００１８】
この構成によれば、耐火パッキンは、熱が伝わると膨張する材料であるので、火災熱によって、耐火パッキンは膨張し、扉と扉枠の間に生じていた隙間を封止する。その結果、シェルター内部への火炎、有毒ガス等の侵入を阻止することができる。【００１９】
請求項３に係る発明は、請求項１又は２に記載の本扉構造において、耐火パッキンは、少なくとも１個設けられ、水密パッキンは、複数個設けられていることを特徴とする。【００２０】
この構成によれば、水密パッキンは、複数個設けられているので、本扉構造は、より強い水密性能を有する。【００２１】
請求項４に係る発明は、請求項１から３のいずれか１項に記載の本扉構造において、扉と扉枠を固着する第１ロック装置をさらに備え、第１ロック装置は、扉の裏面に固定された第１ボルトに螺合された第１ナットと、第１ボルトに挿通されるとともに、扉と第１ナットに挟持されるスプリング材、及び正面視略矩形のワッシャーと、扉枠の開口部側に設けられ、貫通孔が穿孔された第１突出部を有し、ワッシャーは、扉を扉枠に閉止したとき、貫通孔に第１ボルトとスプリング材が貫通した状態で回動可能であることを特徴とする。【００２２】
この構成によれば、第１ボルトに挿通されるワッシャーは、スプリング材を介して扉に回動可能に固定された状態となっている。扉を扉枠に閉止したとき、ワッシャーは貫通孔を貫通し、第１突出部の内側に位置する。ワッシャーを所定の角度（例えば９０度。）回動すると、正面視でワッシャーと第１突出部が重なり合う。この状態で第１ボルトを締め付けると、ワッシャーは、第１突出部によって扉方向への移動が制限され、第１突出部を押圧する。その結果、扉を簡単にロックすることができる。【００２３】
請求項５に係る発明は、請求項１から３のいずれか１項に記載の本扉構造において、扉と扉枠を固着する第２ロック装置をさらに備え、第２ロック装置は、扉枠の開口部側に設けられた第２突出部に、回動可能に固定されたスイングバーと、スイングバーに形成された雌ネジに螺合する第２ボルトと、扉に固定された第２ナットを有し、第２ボルトは、扉を扉枠に閉止したとき、第２ナットに螺合可能であることを特徴とする。【００２４】
この構成によれば、第２ロック装置は、扉枠の開口部側に設けられた第２突出部に、回動可能に固定されたスイングバーと、スイングバーに形成された雌ネジに螺合している状態で前記スイングバーに固定される第２ボルトと、扉に固定された第２ナットを有し、第２ボルトは、扉を扉枠に閉止したとき、第２ナットに螺合可能であるので、容易に扉をロックすることができる。例えば、シェルター内にインパクトレンチをあらかじめ用意しておき、これを利用して第２ボルトを締めることによって、簡単に扉をロックすることができる。【００２５】
請求項６に係る発明は、請求項１から５のいずれか１項に記載の本扉構造において、扉枠を隔てて扉に対向して設けられる内扉をさらに備えることを特徴とする。【００２６】
この構成によれば、本扉構造は、扉と内扉を有する２重扉であり、扉と内扉は、扉枠を隔てて対向して設けられるので、１重扉に比べて耐水性能、耐火性能、及び耐土圧性能を向上することができる。【００２７】
請求項７に係る発明は、請求項６に記載の本扉構造において、扉と内扉の裏面は、耐火性能を具備する断熱部材が貼付けられていることを特徴とする。【００２８】
この構成によれば、扉と内扉の裏面は、耐火性能を具備する断熱部材が貼付けられているので、断熱性能を向上させることができ、火災に起因する高温に対して、内部空間内の温度上昇を抑制することができる。
【図面の簡単な説明】
【００２９】
【図１】実施形態１の本扉構造の概略斜視図である。
【図２】（ａ）は、実施形態１の外扉の断面図であり、（ｂ）は、同、部分裏面図である。
【図３】（ａ）は、実施形態１の耐火パッキン、水密パッキンの断面図であり、（ｂ）は、同、扉枠と外扉が固着した状態を示す断面図であり、（ｃ）は、同、耐熱パッキンが膨張した状態を示す断面図である。
【図４】（ａ）は実施形態１の扉枠に突出部が突設されている状態を示す斜視図であり、（ｂ）は、同補強板の正面図である。
【図５】（ａ）は第１ロック装置の側面断面図であり、（ｂ）は、同内扉側からの正面図である。
【図６】固定棒の部品図である。
【図７】実施形態２の、第２ロック装置の内扉側からの正面図である。
【図８】同、断面平面図である。
【図９】実施形態２の、第２ロック装置で外扉と扉枠を固着した状態を示す内扉側からの正面図である。
【図１０】同、断面平面図である。
【図１１】（ａ）は、実施形態１、２において、扉枠に溝形鋼を用いたときの部分断面図であり、（ｂ）は、同、Ｈ形鋼を用いたときの部分断面図である。
【発明を実施するための形態】
【００３０】
本発明の実施形態１について、図１から６を参照し、説明する。実施形態１の本扉構造１は、外扉４と、内扉５と、外扉４及び内扉５を閉止する扉枠３と、外扉４の裏面の外周部に沿って略矩形状に設けられた耐火パッキン６と、耐火パッキン６の内側に並設された水密パッキン５ａ、ｂと、耐火パッキン６及び水密パッキン５ａ、５ｂを収容する環状保持材４ａ、ｂ、ｃ、ｄ（保持部材）と、第１ロック装置７で構成されている。
【００３１】
図１、４に示す通り、扉枠３は、枠材３１、３２、３３、３４を四方に組んだものであり、開口部１０を形成するとともに、外縁形状が矩形となる構造体である。枠材３２の外側の面（以後、外側面と呼ぶ）に、外扉４が、内側の面（以後、内側面と呼ぶ）に、内扉５が、回動可能に固定されている。ここで、外側とは設置時に外部空間に対向する側を、内側とは設置時に内部空間に対向する側を意味する。また、突出材７０（第１突設部）が、枠材３１の内縁中央部の外側に突設されている。突出材７０には貫通孔７５が穿孔されている。
【００３２】
枠材３１、３２、３３、３４は角筒体であり、角型鋼管（ＪＩＳ  Ｇ  ３４６６  ７５ｍｍ×７５ｍｍを例示する。）であることが好ましい。また、外側及び内側の面に枠面と略同型のロ字形の補強板３ａを溶接し固定してもよい。補強板３ａは、厚さ９ｍｍの鉄板が例示される。これにより、巨大地震が襲来したときでも、十分な強度を持つことができる。また、本実施形態では、突出材７０を枠材３１に設けているが、外側面に取り付ける補強板３ａに設けてもよい。
【００３３】
外扉４は、枠材３２の外側面に回動可能に固定される。外扉４の材料は鉄板であり、厚さは６〜１２ｍｍが好ましい。本実施形態では、厚さ９ｍｍが例示される。扉枠３、及び外扉を鋼製とすることで、本扉構造１の耐土圧性能を向上させることができる。
【００３４】
図２に示す通り、外扉４の裏面の外周部に１個の耐火パッキン６が略矩形状に設けられている。また、耐火パッキン６の内側には、２個の水密パッキン５ａ、ｂが並設されている。また、表面には取っ手（図示略）が設けられている。ここで、外扉４の裏面とは、扉枠３の外側面に対向する扉面を、表面とは、扉枠３の外側面に対向しないもう一方の扉面を意味する。
【００３５】
環状保持材４ａ、ｂ、ｃ、ｄは、外扉４の裏面に周方向に連接された状態で、突設されている。耐火パッキン６、及び水密パッキン５ａ、ｂは環状保持材４ａ、ｂ、ｃ、ｄと外扉４の裏面で形成される３個の凹部のそれぞれに収容される。
【００３６】
耐火パッキン６は、耐火性能を具備する繊維シートを巻いたものである。繊維シートを丸めた形状とすることで、温度上昇に対応して膨張を可能とする構造である。繊維シートとして、アラミド繊維、フッ素繊維、炭素繊維、ポリテトラフルオロエチレン（PTFE）繊維、ポリイミド繊維、ポリアリレート繊維、及びポリフェニレンサルファイド（PPS）繊維を編組等したシート、膨張黒鉛シート、並びに織布の繊維にアルミを蒸着し、その上に劣化を防ぐ樹脂をコーティングしたデュポン社のタイベック（登録商標）シルバーのシートが例示される。
【００３７】
火炎熱によって、温度が上昇したときの耐火パッキン６、及び水密パッキン５ａ、ｂの挙動について図３を参照しながら説明する。
【００３８】
図３（ａ）に示す通り、水密パッキン５ａ、ｂは、耐火パッキン６、及び環状保持材４ａ、ｂ、ｃ、ｄの上端より高く突出した状態で外扉４の裏面に設けられている。
【００３９】
図３（ｂ）に示す通り、外扉４と扉枠３が固着した状態では、水密パッキン５ａ、ｂは扉枠３の外面に密着する。これにより、外扉４と扉枠３に生じていた隙間は２重で封止された状態となり、津波の襲来により、浸水したとしても、その水圧に耐えることができる。
【００４０】
図３（ｃ）に示す通り、火炎熱によって熱が伝わり、耐火パッキン６の温度が上昇すると、耐火パッキン６は、膨張する。このとき、耐火パッキン６は、環状保持材４ｃ、ｄの高さよりも高くなり、耐火パッキン６、及び水密パッキン５ａ、ｂが協働して外扉４と扉枠３に生じていた隙間を封止する。また、水密パッキン５ａ、ｂを火炎に起因する高熱から保護する。これにより、津波、及び津波火災が発生したとしても、火炎の侵入を防止できるとともに、水密性を確保できる。
【００４１】
外扉４の裏面に突設される環状保持材４ａの内側領域全面に、断熱材８が張り付けられている。断熱材８は、外扉４を閉めた際の扉枠３と外扉４の密着性を高めるとともに、断熱性能を向上させる、グラスウールボードが好ましい。
【００４２】
内扉５は、枠材３２の内側面に回動可能に固定されている。また、外扉４と同様、耐火パッキン６、水密パッキン５ａ、ｂが内扉５の裏面に設けられ、環状保持材４ａ、ｂ、ｃ、ｄに収容されている。また、環状保持材４ａの内側領域全面に断熱材８が張り付けられている。その構成については、外扉４とほぼ同じであることから、説明は省略する。ここで、内扉５の裏面とは、扉枠３の内側面に対向する扉面を、表面とは、扉枠３の内側面に対向しないもう一方の扉面を意味する。
【００４３】
図５に示す通り、扉枠３と外扉４を固着する第１ロック装置７が設けられている。第１ロック装置７は、第１ボルト７１、第１ナット７２、ワッシャー７６、スプリング材７７等からなり、第１ボルト７１の頭部は、外扉４の裏面に溶接によって固定されている。
【００４４】
スプリング材７７は、バネ機能を具備し、その伸縮力を利用してワッシャ―７６を押圧するためのものであり、第１ボルト７１に挿通され、外扉４の裏面に配設されている。ワッシャ―７６は、第１ボルト７１に挿通され、スプリング材７７に積重されている。スプリング材７７、及びワッシャー７６は、第１ボルト７１に螺着された第１ナット７２と外扉４に、スプリング材７７に若干の圧縮力が付与された状態で挟持されている。すなわち、ワッシャー７６は、外扉４にスプリング材７７を介して回動可能に固定される。
【００４５】
突出材７０には、ワッシャー７６の外縁より少し大きい略矩形の貫通孔７５が穿孔されている。貫通孔７５は、外扉４を閉扉するときワッシャー７６を貫通させるとともに、ワッシャー７６を所定の角度（例えば９０度）回動する状態でワッシャー７６の外扉４方向への移動を制限するためのものである。したがって、ワッシャー７６の長辺の長さは、貫通孔７５の短辺の長さより長く設定されている。また、ワッシャー７６については、外扉４を閉扉したとき、正面視で貫通孔７５の内部領域内に位置するように配設される。
【００４６】
外扉４を閉扉したとき、貫通孔７５を貫通したワッシャー７６をＶ方向に所定の角度回動し、突出材７０と正面視で重なり合う状態にする。すなわち、貫通孔７５から外れることなく、第１ナット７２を締め付け可能な状態にする。その後、第１ナット７２を締め付けることによって、外扉４を扉枠３に固着することができる。これにより、耐火パッキン６、及び水密パッキン５ａ、ｂが協働して水密性能、耐火性能を高める。なお、螺着するには、あらかじめ配備しておいたインパクトレンチを用いることが好ましい。電動工具用いることで、多大な労力を要することなく簡単に締め付け作業を行うことができる。
【００４７】
内扉５は平時において、開扉した状態とし使用するが、内扉５を閉扉して固定する際には、内扉５を支持する固定棒９を使用することが好ましい。図６に示す通り、固定棒９は両端部を有する棒体部９１の一方の端部に壁押圧板９２が固定され、他方の端部にジャッキ９３を介して、扉押圧板９４が固定される構造である。
【００４８】
内扉５に対向する壁面に壁押圧板９２をセットし、内扉５の表面に扉押圧板９４をセットし、ジャッキ９３を操作して壁面、及び内扉５の表面を押圧する。これにより、内扉５を扉枠３に固着することができる。
【００４９】
平常時は屋内の所定の場所に配設しておき、使用時は、内扉５を閉じた状態で、内扉５を室内側から支持する。固定棒９は、天井の昇降ユニットに取り付け、避難時に、下方に降ろして使用することもできる。
【００５０】
内扉５は、閉扉状態で固着する際に、内扉５を固定棒９で押圧されるので、ドアノブなどの余分なものがないのが好ましい。
【００５１】
実施形態２の本扉構造２０１について、図７から図１０を参照し、説明する。実施形態２は実施形態１と基本的には共通するので、部品番号を２００番台として図示と説明は援用し、相違点を中心として説明する。
【００５２】
本扉構造２０１は、実施形態１と同様の、扉枠、外扉、内扉を備えている。扉枠には実施形態１と同様の突出材２７０（第２突出部）が扉枠に突設されている。また、外扉、及び内扉の裏面は、実施形態１と同様の耐火パッキン、水密パッキン、環状保持材、及び断熱部材が設けられている。
【００５３】
第２ロック装置２０７は、突出材２７０、台座２７５、軸体ボルト２７４、スイングバー２７３、第２ボルト２７１、及び第２ナット２７２より成っている。
【００５４】
突出材２７０の裏面（外扉２０４に対向しないもう一方の面）に、雌ネジが形成された台座２７５が設けられている。スイングバー２７３を軸支するための軸体ボルト２７４が、台座２７５に螺着されている。台座２７５の上方端部にはスイングバー２７３の回動を制限するためのスイングストッパー２７６が突設されている。
【００５５】
スイングバー２７３の端部には、雌ネジか形成されており、第２ボルト２７１が螺着している。外扉２０４の裏面には、第２ボルト２７１に螺合可能な第２ナット２７２が固定されている。
【００５６】
図７に示す通り、第２ロック装置２０７で外扉２０４と扉枠２０３を固着しないときは、軸体ボルト２７４に軸支されたスイングバー２７３は、懸垂状態となっている。
【００５７】
地震が発生し、津波及び津波火災の発生が予測されるときは、速やかに避難空間内に入り、外扉２０４と扉枠２０３を固着する。
【００５８】
外扉２０４と扉枠２０３を固着する手順について説明する。第２ボルト２７１が平面視で第２ナット２７２の直上に位置するように、スイングバー２７３を回動する。第２ボルト２７１の先端部を第２ナット２７２の雌ネジが形成された孔に挿入する。第２ボルト２７１を回転することで、第２ナット２７２と螺着する。これにより、外扉２０４と扉枠２０３は固着される。螺着作業は、あらかじめ配備しておいたインパクトレンチを用いることが好ましい。電動工具を用いることで、多大な労力を要することなく簡単に螺着作業を行うことができる。また、スイングストッパー２７６によって回動が停止されるときの第２ボルト２７１の位置が、第２ナット２７２の直上の位置となるように設定することが好ましい。これにより、第２ナット２７２との螺着が容易となる。
【００５９】
内扉２０５と、扉枠２０３の固着は実施形態１と同様である。
【００６０】
以上の実施形態は、本発明の実施のための好ましい実施形態の例示である。本発明は、以上の実施形態に限定されるものではなく、発明の趣旨を逸脱しない範囲において各所の改変をなしても、本発明の技術的範囲に属することは勿論である。
【００６１】
例えば、扉枠３、２０３は角型鋼管を四方に組んだ構造としたが、図１１（ａ）に示す通り、溝形鋼材を枠材として、溝形鋼に形成される凹部を開口部１０、２１０に向けた状態で四方に組んだ構造としてもよい。また図１１（ｂ）に示す通り、Ｈ形鋼材を枠材としてもよい。また、これらを併用して四方に組んでもよい。このときの第１突出部、第２突出部は、外扉４，２０４側に位置するフランジ３５，３７，２３５，２３７とすることが好ましい。
【００６２】
本扉構造１、２０１は開き戸について適用した例について説明したが、引き戸について適用できることは勿論である。
【産業上の利用可能性】
【００６３】
津波、火災、竜巻、土砂災害等に対して安心安全な防災用扉構造を提供できる。特に、沿岸部において、その産業上の利用価値は大である。
【符号の説明】
【００６４】
１、２０１                ：扉構造
３、２０３                ：扉枠
３ａ                      ：補強板
４、２０４                ：外扉
４ａ、ｂ、ｃ、ｄ          ：環状保持材
５、２０５                ：内扉
５ａ、ｂ                  ：水密パッキン
６                        ：耐火パッキン
７                        ：第１ロック装置
８                        ：断熱材
９                        ：固定棒
１０                      ：開口部
３１、３２、３３、３４    ：枠材
７０                      ：突出材（第１突出部）
７１                      ：第１ボルト
７２                      ：第１ナット
７５                      ：貫通孔
７６                      ：ワッシャー
７７                      ：スプリング材
９１                      ：棒体部
９２                      ：壁押圧板
９３                      ：ジャッキ
９４                      ：扉押圧板
２０７                    ：第２ロック装置
２７０                    ：突出材（第２突出部）
２７１                    ：第２ボルト
２７２                    ：第２ナット
２７３                    ：スイングバー
２７４                    ：軸体ボルト
２７５                    ：台座
２７６                    ：スイングストッパー
３５、３７                ：フランジ（第１突出部）
２３５、２３７            ：フランジ（第２突出部）
【図１】
2018043740.tif 000003
【図２】
2018043740.tif 000004
【図３】
2018043740.tif 000005
【図４】
2018043740.tif 000006
【図５】
2018043740.tif 000007
【図６】
2018043740.tif 000008
【図７】
2018043740.tif 000009
【図８】
2018043740.tif 000010
【図９】
2018043740.tif 000011
【図１０】
2018043740.tif 000012
【図１１】
2018043740.tif 000013
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
表面と、裏面とを有する扉と、
開口部を形成するとともに、前記扉を閉止する扉枠と、
前記扉枠、又は前記裏面の外周部に沿って環状に設けられた耐火パッキンと、
前記耐火パッキンの内側に並設される水密パッキンと、
前記耐火パッキン及び前記水密パッキンを収容する保持部材と、
前記扉と前記扉枠を固着する第１ロック装置を備え、
前記第１ロック装置は、前記扉の裏面に固定された第１ボルトに螺合された第１ナットと、
前記第１ボルトに挿通されるとともに、前記扉と前記第１ナットに挟持されるスプリング材、及び正面視略矩形のワッシャーと、
前記扉枠の開口部側に設けられ、貫通孔が穿孔された第１突出部と、
を有し、
前記ワッシャーは、前記扉を前記扉枠に閉止したとき、前記貫通孔に前記第1ボルトと前記スプリング材が貫通した状態で回動可能であることを特徴とする、
防災用扉構造。
【請求項２】
表面と、裏面とを有する扉と、
開口部を形成するとともに、前記扉を閉止する扉枠と、
前記扉枠、又は前記裏面の外周部に沿って環状に設けられた耐火パッキンと、
前記耐火パッキンの内側に並設される水密パッキンと、
前記耐火パッキン及び前記水密パッキンを収容する保持部材と、
前記扉と前記扉枠を固着する第２ロック装置を備え、
前記第２ロック装置は、前記扉枠の開口部側に設けられた第２突出部に、回動可能に固定されたスイングバーと、
前記スイングバーに形成された雌ネジに螺合する第２ボルトと、
前記扉に固定された第２ナットと、を有し、
前記第２ボルトは、前記扉を前記扉枠に閉止したとき、前記第２ナットに螺合可能であることを特徴とする防災用扉構造。
【請求項３】
前記扉枠を隔てて前記扉に対向して設けられる内扉をさらに備えることを特徴とする請求項１または２に記載の防災用扉構造。
【請求項４】
前記扉と前記内扉の裏面は、耐火性能を具備する断熱部材が貼付けられていることを特徴とする請求項３に記載の防災用扉構造。
【手続補正２】
【補正対象書類名】明細書
【補正対象項目名】００１５
【補正方法】変更
【補正の内容】
【００１５】
上記課題を解決するために、請求項１に係る発明は、防災用扉構造（以後、本扉構造とよぶ）であって、表面と、裏面を有する扉と、開口部を形成するとともに、扉を閉止する扉枠と、扉枠、又は扉の裏面の外周部に沿って環状に設けられた耐火パッキンと、耐火パッキンの内側に並設される水密パッキンと、耐火パッキン及び水密パッキンを収容する保持部材と、前記扉と前記扉枠を固着する第１ロック装置を備え、前記第１ロック装置は、前記扉の裏面に固定された第１ボルトに螺合された第１ナットと、前記第１ボルトに挿通されるとともに、前記扉と前記第１ナットに挟持されるスプリング材、及び正面視略矩形のワッシャーと、前記扉枠の開口部側に設けられ、貫通孔が穿孔された第１突出部と、を有し、前記ワッシャーは、前記扉を前記扉枠に閉止したとき、前記貫通孔に前記第1ボルトと前記スプリング材が貫通した状態で回動可能であることを特徴とする。
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】変更
【補正の内容】
【００２２】
また、第１ボルトに挿通されるワッシャーは、スプリング材を介して扉に回動可能に固定された状態となっている。扉を扉枠に閉止したとき、ワッシャーは貫通孔を貫通し、第１突出部の内側に位置する。ワッシャーを所定の角度（例えば９０度。）回動すると、正面視でワッシャーと第１突出部が重なり合う。この状態で第１ボルトを締め付けると、ワッシャーは、第１突出部によって扉方向への移動が制限され、第１突出部を押圧する。その結果、扉を簡単にロックすることができる。
【手続補正９】
【補正対象書類名】明細書
【補正対象項目名】００２３
【補正方法】変更
【補正の内容】
【００２３】
請求項２に係る発明は、防災用扉構造（以後、本扉構造とよぶ）であって、表面と、裏面とを有する扉と、開口部を形成するとともに、前記扉を閉止する扉枠と、前記扉枠、又は前記裏面の外周部に沿って環状に設けられた耐火パッキンと、前記耐火パッキンの内側に並設される水密パッキンと、前記耐火パッキン及び前記水密パッキンを収容する保持部材と、前記扉と前記扉枠を固着する第２ロック装置を備え、第２ロック装置は、扉枠の開口部側に設けられた第２突出部に、回動可能に固定されたスイングバーと、スイングバーに形成された雌ネジに螺合する第２ボルトと、扉に固定された第２ナットを有し、第２ボルトは、扉を扉枠に閉止したとき、第２ナットに螺合可能であることを特徴とする。
【手続補正１０】
【補正対象書類名】明細書
【補正対象項目名】００２５
【補正方法】変更
【補正の内容】
【００２５】
請求項３に係る発明は、請求項１または２に記載の本扉構造において、扉枠を隔てて扉に対向して設けられる内扉をさらに備えることを特徴とする。
【手続補正１１】
【補正対象書類名】明細書
【補正対象項目名】００２７
【補正方法】変更
【補正の内容】
【００２７】
請求項４に係る発明は、請求項３に記載の本扉構造において、扉と内扉の裏面は、耐火性能を具備する断熱部材が貼付けられていることを特徴とする。
【国際調査報告】
2018043740.tif 000014
2018043740.tif 000015
2018043740.tif 000016
2018043740.tif 000017